(57)【要約】【課題】簡易な構成で表示品質を向上させることのできるバックライト装置またはバックライト装置を備えた表示装置を実現する。【解決手段】表示装置であって、バックライトを含む表示パネルと、前記表示パネルの外周に対応した枠形状のモールドフレームと、を含み、前記モールドフレームは、前記モールドフレームの内側のコーナーに配置されるとともに、前記表示パネルを支持する指示部と、前記モールドフレームの内側の側面に配置されるとともに、前記表示パネル側面を押圧して支持する湾曲形状の押え部と、を含むことを特徴とする。【選択図】図２
2014049404.tif 000002
【特許請求の範囲】
【請求項１】
バックライトを含む表示パネルと、
前記表示パネルの外周に対応した枠形状のモールドフレームと、を含み、
前記モールドフレームは、
前記モールドフレームの内側のコーナーに配置されるとともに、前記表示パネルを支持する指示部と、
前記モールドフレームの内側の側面に配置されるとともに、前記表示パネル側面を押圧して支持する湾曲形状の押え部と、
を含むことを特徴とする表示装置。
【請求項２】
前記バックライトは、
光源を含む発光部と、
該発光部からの光を前記バックライトの出射面から出射する導光板と、
を含み、
前記押え部は、前記導光板の側面を押圧して支持することを特徴とする請求項１に記載の表示装置。
【請求項３】
前記モールドフレームは矩形形状であって、前記モールドフレームの内側の４の側面のうち、前記押え部は、３の側面に配置され、前記発光部は、他の１の側面に沿って配置される、
ことを特徴とする請求項１または２に記載の表示装置。
【請求項４】
前記モールドフレームは矩形形状であって、
前記指示部は、前記モールドフレームの内側における４のコーナーにそれぞれ配置されることを特徴とする請求項１乃至３のいずれかに記載の表示装置。
【請求項５】
前記押え部は、前記モールドフレームと同じ樹脂で形成されることを特徴とする請求項１乃至４のいずれかに記載の表示装置。
【請求項６】
前記押え部は、前記モールドフレームと一体形成されることを特徴とする請求項１乃至５のいずれかに記載の表示装置。
【請求項７】
前記押え部は、それぞれ複数の湾曲形状を有することを特徴とする請求項１乃至６のいずれかに記載の表示装置。
【請求項８】
前記指示部は、ゴムで形成されることを特徴とする請求項１乃至７のいずれかに記載の表示装置。
【請求項９】
導光板と、
前記導光板の外周に対応した枠形状のモールドフレームと、を含み
前記モールドフレームは、
前記モールドフレームの内側のコーナーに配置されるとともに、前記導光板を支持する指示部と、
前記モールドフレームの内側の側面に配置されるとともに、前記導光板側面を押圧して支持する湾曲形状の押え部と、
を含むことを特徴とするバックライト装置。
【発明の詳細な説明】
【技術分野】
【０００１】
本発明は、バックライト装置及びバックライト装置を備えた表示装置に関する。
【背景技術】
【０００２】
一般に、液晶表示装置において、表示パネルを支持する枠としてフレームが用いられる（特許文献１参照）。例えば、図６に示すように、液晶表示パネルは枠状のフレーム内に格納される。なお、図６は、一般的な液晶表示装置における導光板６０１の概略の一部を示す平面図である。具体的には、例えば、当該液晶表示パネル背面に配置される矩形状の導光板６０１は、その側面に凸部６０２や凹部６０７を有する。そして、当該凸部６０２の側面周辺の導光板６０１の側面に沿って導光板６０１を抑える押えピン６０３が配置される。また、凸部６０２にも押えピン６０３が配置される。更に、導光板６０１は、フレーム６００の内側の各コーナーに配置されたゴム製の支持部材６０４により、フレーム６００に支持される。これにより、導光板６０１がフレーム６００内の所定の位置に支持される。また、導光板６０１の一つの側面に沿って、例えば、光源６０５を含む基板６０６が配置される。
【先行技術文献】
【特許文献】
【０００３】
【特許文献１】特開２００２−１１６４３０号公報
【発明の概要】
【発明が解決しようとする課題】
【０００４】
しかしながら、上記のような液晶表示装置においては、押えピン６０３に光源６０５からの光が入射し、当該光が乱反射して表示画面に輝度班として表示される場合がある。また、導光板６０１の熱膨張により、膨張した導光板６０１が押えピン６０３と干渉し、導光板６０１が反る場合がある。そして、結果として、表示画面上に筋や班が表示される場合がある。また、導光板６０１に凸部６０２や凹部６０７等が必要になるなど、導光板６０１の形状が複雑になるとともに、押えピン６０３等が必要となるため、表示装置の製造過程が複雑になる。更に、表示装置の製造後、その運搬過程において、押えピン６０３と導光板６０１とが干渉し、導光板６０１にクラックが発生する場合もある。
【０００５】
本発明は、上記課題に鑑みて、簡易な構成で表示品質を向上させることのできるバックライト装置またはバックライト装置を備えた表示装置を実現することを目的とする。
【課題を解決するための手段】
【０００６】
（１）本発明の表示装置は、バックライトを含む表示パネルと、前記表示パネルの外周に対応した枠形状のモールドフレームと、を含み、前記モールドフレームは、前記モールドフレームの内側のコーナーに配置されるとともに、前記表示パネルを支持する指示部と、前記モールドフレームの内側の側面に配置されるとともに、前記表示パネル側面を押圧して支持する湾曲形状の押え部と、を含むことを特徴とする。
【０００７】
（２）上記（１）記載の表示装置において、前記バックライトは、光源を含む発光部と、該発光部からの光を前記バックライトの出射面から出射する導光板と、を含み、前記押え部は、前記導光板の側面を押圧して支持することを特徴とする。
【０００８】
（３）上記（１）または（２）に記載の表示装置において、前記モールドフレームは矩形形状であって、前記モールドフレームの内側の４の側面のうち、前記押え部は、３の側面に配置され、前記発光部は、他の１の側面に沿って配置される、ことを特徴とする。
【０００９】
（４）上記（１）乃至（３）のいずれかに記載の表示装置において、前記モールドフレームは矩形形状であって、前記指示部は、前記モールドフレームの内側における４のコーナーにそれぞれ配置されることを特徴とする。
【００１０】
（５）上記（１）乃至（４）のいずれかに記載の表示装置において、前記押え部は、前記モールドフレームと同じ樹脂で形成されることを特徴とする。
【００１１】
（６）上記（１）乃至（５）のいずれかに記載の表示装置において、前記押え部は、前記モールドフレームと一体形成されることを特徴とする。
【００１２】
（７）上記（１）乃至（６）のいずれかに記載の表示装置において、前記押え部は、それぞれ複数の湾曲形状を有することを特徴とする。
【００１３】
（８）上記（１）乃至（７）のいずれかに記載の表示装置において、前記指示部は、ゴムで形成されることを特徴とする。
【００１４】
（９）本発明のバックライト装置は、導光板と、前記導光板の外周に対応した枠形状のモールドフレームと、を含み、前記モールドフレームは、前記モールドフレームの内側のコーナーに配置されるとともに、前記導光板を支持する指示部と、前記モールドフレームの内側の側面に配置されるとともに、前記導光板側面を押圧して支持する湾曲形状の押え部と、を含むことを特徴とする。
【図面の簡単な説明】
【００１５】
【図１】本実施の形態における表示装置のバックライト装置の概略を示す斜視図である。
【図２】図１に示したバックライト装置の概要の平面図を示す。
【図３】支持部の形状の一例を示す図である。
【図４】押え部の形状の一例を説明するための図である。
【図５】押え部の形状の他の一例を説明するための図である。
【図６】従来の液晶表示装置における導光板の平面の概略の一部を示す平面図である。
【発明を実施するための形態】
【００１６】
以下、本発明の実施形態について、図面を参照しつつ説明する。なお、図面については、同一又は同等の要素には同一の符号を付し、重複する説明は省略する。
【００１７】
図１は、本実施の形態における表示装置のバックライト装置の概略を示す斜視図である。図１に示すように、バックライト装置１００は、例えば、反射シート１０１、導光板１０２、モールドフレーム１０３、拡散シート１０４、複数のプリズムシート１０５、光源（図示なし）を含む。
【００１８】
モールドフレーム１０３は、例えば、矩形の枠形状であり、当該モールドフレーム１０３の枠内に、導光板１０２、拡散シート１０４、複数のプリズムシート１０５が順に積層されて格納される。つまり、モールドフレーム１０３は、導光板１０２の外周に沿った形状を有する。また、モールドフレーム１０３の背面には反射シート１０１が配置される。ここで、導光板１０２は、後述する支持部（図示なし）等によりモールドフレーム１０３内に支持されるが、詳細には後述する。
【００１９】
光源（図示なし）は、導光板１０２の側面に沿って、配置される。具体的には、例えば、導光板１０２の４の側面のうち、１の側面に当該光源が配置される。なお、２の側面に当該光源が配置されてもよい。なお、光源の配置と導光板１０２との関係等については、更に、後述する。
【００２０】
光源は、後述するように、例えば、複数のＬＥＤで構成され、基板（図示なし）上に並んで配置される。光源から入射した光は導光板１０２内で全反射を繰り返し、導光板１０２の上面（光出射面）から出射する。反射シート１０１は、導光板１０２に重ねて配置され、導光板１０２の背面から出射した光を導光板１０２へ反射する。
【００２１】
拡散シート１０４は、例えば、光を拡散する樹脂がコーティングされたフィルムであって、導光板１０２の表面から出射される光を拡散する。プリズムシート１０５はそれぞれ表面にプリズムやレンズが成形されたフィルムであり、拡散シート１０４から出射される光を光放出面に垂直な方向に集中させる。
【００２２】
図２は、図１に示したバックライト装置の概要の平面図を示す。図２に示すように、例えば、導光板１０２は、４の支持部２０１及び３の押え部２０２により、モールドフレーム１０３内に支持される。具体的には、４の支持部２０１は、モールドフレーム１０３の各コーナーに配置され、矩形状の導光板１０２の各コーナーを支持する。
【００２３】
各支持部２０１は、例えば、図３に示すような形状を有する。また、各支持部２０１の材料としては、例えばゴムを用いる。各支持部２０１は、モールドフレーム１０３のコーナーに配置されるベース部３０１と、導光板１０２のコーナーに配置されるサポート部３０２とを含む。また、ベース部３０１は、モールドフレーム１０３のコーナーの形状に沿った形状を有する。つまり、図２においては、ベース部３０１は、モールドフレーム１０３のコーナーの形状が丸みを帯びた形状であるため同様に丸みを帯びた形状を有するが、異なる形状である場合には、当該異なる形状に沿った形状を有する。
【００２４】
また、サポート部３０２は、導光板１０２のコーナーの形状に併せたＬ字形状を有する。つまり、導光板１０２のコーナーに位置する各側面の一部をサポート部３０２が支持する。
【００２５】
なお、当該光源２０３に沿って配置されるサポート部３０２の導光板２０１の平面方向（図２の上下方向）に沿った厚さを調整することにより、光源２０３が配置された基板２０４と導光板１０２との距離を適切な距離に調整することもできる。
【００２６】
また、図２に示すように、導光板１０２の３つの側面は、それぞれ押え部２０２により支持される。押え部２０２は、例えば、図２及び図４に示すように湾曲した板状であって、例えば、押え部２０２の端部がモールドフレーム１０３の内側側面に配置され、押え部２０２の中央部の湾曲した部分が導光板１０２の側面の中央部に接するように配置される。なお、図４においては、導光板１０２や光源については省略した。
【００２７】
押え部２０２は、上記のように湾曲した板状であるので、モールドフレーム１０３の内側から導光板１０２を押圧する。ここで、導光板１０２が矩形形状である場合には、側面の長さに応じた押え部２０２が配置される。言い換えれば、図２の導光板１０２の左右に配置される押え部２０２の長さは、上側に配置される押え部２０２の長さよりも短い。また、押え部２０２は、例えば、モールドフレーム１０３と同じ材料で一体的に形成される。当該材料としては、例えば、樹脂を用いる。
【００２８】
一方、導光板１０２の４つの側面のうちの１の側面に沿って、光源２０３を含む基板２０４が配置される。当該基板２０４は、例えば、モールドフレーム１０３に接続される下フレーム（図示なし）により支持される。なお、例えば、上記バックライト装置１００がテレビやパーソナルコンピュータのディスプレイ装置など表示パネルの面を地面と垂直な方向または当該方向に近似する方向で配置する場合、つまり、表示パネルを立てて使用する装置に用いる場合には、光源２０３を配置した基板２０４は、下側に配置する。
【００２９】
本実施の形態によれば、例えば、運搬時に導光板１０２が移動したとしても、押え部２０２の押圧により、所定の位置に導光板１０２を保持することができる。また、導光板１０２が光源２０３からの熱等により熱膨張したとしても、当該押え部２０２が板状の湾曲形状であることから、当該熱膨張を吸収することができる。更に、上記のように本実施の形態においては押えピンを用いない構成であることから、運搬時等に押えピンと導光板１０２が干渉することにより導光板１０２にクラックは発生することもない。更に、押えピンが不要となり、導光板１０２に凸部や凹部を設ける必要もない。よって、導光板１０２の形状を単純化でき製造工程を簡易化できるとともに、従来と比べ安価かつ容易にバックライト装置１００及びバックライト装置１００を備えた表示装置等を提供することができる。
【００３０】
なお、上記押え部２０２の形状は一例であって、本実施の形態は、これに限定されるものではない。例えば、図５に示すように、１の押え部２０２は、複数の湾曲する板形状で形成されてもよい。この場合、図２に示した押え部２０２と比べ、導光板１０２をより強い力で押圧することができ、特に大型の液晶ＴＶなど導光板１０２の重量が大きい場合に適する。また、押え部２０２の厚みや湾曲数は、導光板１０２の大きさや重量などに応じて、適切な厚みや湾曲数を用いることにより、導光板の伸縮や移動に対する押え部２０２の吸収力を変更することもできる。
【００３１】
上記においては、導光板１０２の側面に光源２０３を配置するいわゆるサイドライト方式またはエッジライト方式を用いて説明したが、本実施の形態は表示パネルの背面に光源２０３を配置するいわゆる直下型方式に用いてもよい。この場合は、光源２０３を含む基板２０４を表示パネルのうちの１の側面に配置する必要がないため、表示パネルの４の側面に押え部２０２を配置することもできる。
【００３２】
本発明は、上記実施の形態に限定されるものではなく、種々の変形が可能である。例えば、上記実施の形態で示した構成と実質的に同一の構成、同一の作用効果を奏する構成又は同一の目的を達成することができる構成で置き換えることができる。例えば、以上の説明においては、光源２０３としてＬＥＤを用いることとしたが、これに限らず、その他蛍光管など、各種の光源を用いてもよい。また、本実施の形態におけるバックライト装置１００は、パソコン用ディスプレイ、ＴＶ放送受信用ディスプレイ、公告表示用ディスプレイ等の各種の情報表示用の表示装置のバックライト装置として利用可能である。また、デジタルスチルカメラ、ビデオカメラ、カーナビゲーションシステム、カーオーディオ、ゲーム機器、携帯情報端末など、各種の電子機器のバックライト装置として利用することも可能である。
【符号の説明】
【００３３】
１００  バックライト装置、１０１  反射シート、１０２  導光板、１０３  モールドフレーム、１０４  拡散シート、１０５  複数のプリズムシート、２０１  支持部、２０２  押え部、３０１  ベース部、３０２  サポート部、６０１  導光板、６０２  凸部、６０３  押えピン、６０４  支持部材、６０５  光源、６０６  基板、６０７  凹部。
【図１】
2014049404.tif 000003
【図２】
2014049404.tif 000004
【図３】
2014049404.tif 000005
【図４】
2014049404.tif 000006
【図５】
2014049404.tif 000007
【図６】
2014049404.tif 000008